(57)【要約】【課題】ウェブ検索を行う状況においてコンテンツ信号に含まれる文字情報を有効に活用する。【解決手段】テキスト抽出部１０は、コンテンツ信号に含まれる文字情報から１以上の名詞を抽出する。テキスト格納部１１は、当該１以上の名詞を示すキーワード一覧２０を作成する。検索制御部１２は、キーワード一覧２０が示す１以上の名詞から選択された名詞である選択名詞を使用して、インターネット４におけるウェブ検索を行うための処理を行う。【選択図】図１
2020150290.tif 000002
【特許請求の範囲】
【請求項１】
１以上の文字列を示す文字情報を含むコンテンツ信号を受信する信号処理部と、
前記コンテンツ信号に含まれる前記文字情報から１以上の名詞を抽出するテキスト抽出部と、
前記１以上の名詞を示すキーワード一覧を作成するテキスト格納部と、
前記キーワード一覧が示す前記１以上の名詞から選択された名詞である選択名詞を使用して、インターネットにおけるウェブ検索を行うための処理を行う検索制御部とを備える、
情報処理装置。
【請求項２】
前記情報処理装置は、映像を表示する機能を有する出力部を制御する機能を有する、
請求項１に記載の情報処理装置。
【請求項３】
前記検索制御部は、前記キーワード一覧を前記出力部に表示させる処理を行う、
請求項２に記載の情報処理装置。
【請求項４】
前記検索制御部は、前記ウェブ検索により得られた検索結果を、前記出力部に表示させる処理を行う、
請求項２または３に記載の情報処理装置。
【請求項５】
前記出力部は、さらに、音声を出力する機能を有し、
前記出力部は、前記コンテンツ信号に含まれる音声を出力する、
請求項２から４のいずれか１項に記載の情報処理装置。
【請求項６】
前記コンテンツ信号は、映像をさらに含み、
前記情報処理装置は、
前記キーワード一覧、前記ウェブ検索により得られた検索結果、および、前記コンテンツ信号に含まれる前記映像の全てまたは一部を前記出力部に表示させるための信号を、当該出力部へ送信するコンテンツ処理部をさらに備える、
請求項２から５のいずれか１項に記載の情報処理装置。
【請求項７】
前記コンテンツ信号は、映像をさらに含み、
前記情報処理装置は、
前記信号処理部が受信した前記コンテンツ信号に含まれる前記映像としての番組を記憶する記憶部をさらに備える
請求項２から６のいずれか１項に記載の情報処理装置。
【請求項８】
請求項２から７のいずれか１項に記載の情報処理装置と、
請求項２から７のいずれか１項に記載の出力部とを備える、
テレビジョン受信機。
【発明の詳細な説明】
【技術分野】
【０００１】
本発明は、インターネットを利用した処理を行う情報処理装置及びテレビジョン受信機に関する。
【背景技術】
【０００２】
近年、インターネットに接続可能な、テレビ等のＡＶ（Ａｕｄｉｏ  Ｖｉｓｕａｌ）機器が発売されている。ＡＶ機器に内蔵されているウェブブラウザの任意の検索エンジンを使用することにより、簡単にウェブ検索を行うことができる。ウェブ検索とは、ウェブページの検索である。
【０００３】
例えば、特許文献１では、ＡＶ機器のユーザー（操作者）の音声を認識する構成（以下、「関連構成Ａ」ともいう）が開示されている。なお、ウェブ検索が行なわれる場合、例えば、関連構成Ａで認識された音声の認識結果は、検索エンジンのキーワードとして使用される。
【先行技術文献】
【特許文献】
【０００４】
【特許文献１】特許第６１１４９１５号公報
【発明の概要】
【発明が解決しようとする課題】
【０００５】
ウェブ検索を行う機能を有する装置には、文字情報を含むコンテンツ信号を受信するものもある。このような装置がウェブ検索を行う状況では、コンテンツ信号に含まれる文字情報を有効に活用することが要求される場合がある。関連構成Ａでは、この要求を満たすことはできない。
【０００６】
本発明は、このような問題を解決するためになされたものであり、ウェブ検索を行う状況においてコンテンツ信号に含まれる文字情報を有効に活用することが可能な情報処理装置及びテレビジョン受信機を提供することを目的とする。
【課題を解決するための手段】
【０００７】
上記目的を達成するために、本発明の一態様に係る情報処理装置は、１以上の文字列を示す文字情報を含むコンテンツ信号を受信する信号処理部と、前記コンテンツ信号に含まれる前記文字情報から１以上の名詞を抽出するテキスト抽出部と、前記１以上の名詞を示すキーワード一覧を作成するテキスト格納部と、前記キーワード一覧が示す前記１以上の名詞から選択された名詞である選択名詞を使用して、インターネットにおけるウェブ検索を行うための処理を行う検索制御部とを備える。
【発明の効果】
【０００８】
本発明によれば、テキスト抽出部は、コンテンツ信号に含まれる文字情報から１以上の名詞を抽出する。テキスト格納部は、前記１以上の名詞を示すキーワード一覧を作成する。検索制御部は、前記キーワード一覧が示す前記１以上の名詞から選択された名詞である選択名詞を使用して、インターネットにおけるウェブ検索を行うための処理を行う。
【０００９】
これにより、ウェブ検索を行う状況においてコンテンツ信号に含まれる文字情報を有効に活用することができる。
【図面の簡単な説明】
【００１０】
【図１】実施の形態１に係るテレビジョン受信機の構成を示すブロック図である。
【図２】実施の形態１に係る出力部を示す図である。
【図３】キーワード一覧の一例を示す図である。
【図４】検索結果を示す検索結果画像の一例を示す図である。
【図５】表示部における表示状態の一例を示す図である。
【図６】情報処理装置の特徴的な機能構成を示すブロック図である。
【図７】情報処理装置のハードウエア構成図である。
【発明を実施するための形態】
【００１１】
以下、図面を参照しつつ、実施の形態に係る情報処理装置及びテレビジョン受信機について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１２】
＜実施の形態１＞
図１は、実施の形態１に係るテレビジョン受信機１００の構成を示すブロック図である。図１を参照して、テレビジョン受信機１００は、情報処理装置３０と、出力部５０とを備える。
【００１３】
情報処理装置３０は、出力部５０を制御する機能を有する。情報処理装置３０は、アンテナ２、外部機器３及びインターネット４に接続されている。情報処理装置３０は、例えば、同軸ケーブル等により、アンテナ２と接続されている。
【００１４】
情報処理装置３０は、有線または無線により、外部機器３と接続されている。当該有線は、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル、ＬＡＮ（Ｌｏｃａｌ  Ａｒｅａ  Ｎｅｔｗｏｒｋ）ケーブル等である。当該無線は、Ｂｌｕｅｔｏｏｈ、Ｗｉ−Ｆｉ等である。「ＨＤＭＩ」、「Ｂｌｕｅｔｏｏｈ」および「Ｗｉ−Ｆｉ」の各々は、登録商標である。
【００１５】
外部機器３は、例えば、ディスク媒体を利用して、コンテンツを再生する装置である。当該ディスク媒体は、ＢＤ（Ｂｌｕ−ｒａｙ  Ｄｉｓｃ）、ＤＶＤ等である。外部機器３は、コンテンツ信号および字幕情報を出力する機能を有する。コンテンツ信号は、映像（映像信号）および音声（音声信号）を含む。すなわち、コンテンツ信号は、映像音声信号である。
【００１６】
情報処理装置３０は、アンテナ２または外部機器３からコンテンツ信号を受信する。なお、アンテナ２から提供されるコンテンツ信号は、言語情報を含む。言語情報は、文字情報である。当該文字情報は、１以上の文字列を示す。
【００１７】
次に、情報処理装置３０は、受信したコンテンツ信号から言語情報（文字情報）を取得する。そして、情報処理装置３０は、言語情報（文字情報）から複数の名詞を抽出する。情報処理装置３０は、抽出された複数の名詞を使用して、キーワード一覧を作成する。
【００１８】
次に、情報処理装置３０は、ユーザーが選択した名詞を使用して、インターネット４を使ってウェブ検索を行う。ウェブ検索とは、ウェブページの検索である。次に、情報処理装置３０は、ウェブ検索の結果を出力部５０へ送信する。なお、出力部５０は、映像を表示する機能と、音声を出力する機能とを有する。
【００１９】
図２は、実施の形態１に係る出力部５０を示す図である。図２を参照して、出力部５０は、表示部５１と、音声出力部５２とを含む。表示部５１は、映像を表示する機能を有する。表示部５１は、例えば、液晶パネルである。音声出力部５２は、音声を出力する機能を有する。音声出力部５２は、スピーカーである。
【００２０】
出力部５０は、情報処理装置３０から受信したコンテンツ信号に基づいて、映像表示処理、音声出力処理等を行う。
【００２１】
再び、図１を参照して、情報処理装置３０は、操作部５、チューナー部６、接続端子７、記憶部８、信号処理部９、テキスト抽出部１０、テキスト格納部１１、検索制御部１２、通信部１３及びコンテンツ処理部１４を備える。
【００２２】
操作部５は、ユーザーが本体操作部（図示せず）またはリモコンを操作した場合に当該本体操作部または当該リモコンから出力される操作信号を受信する。当該本体操作部は、テレビジョン受信機１００に設けられている。
【００２３】
チューナー部６は、アンテナ２から同軸ケーブル等を介して、デジタル放送信号を含んだＲＦ（Ｒａｄｉｏ  Ｆｒｅｑｕｅｎｃｙ）信号を受信する。チューナー部６は、受信したＲＦ信号から必要な信号を抽出し、当該信号を、信号処理部９へ出力する。
【００２４】
なお、図１の構成では、チューナー部６の出力数は１であるが、チューナー部６の出力数は２以上あってもよい。
【００２５】
接続端子７は、外部機器３と接続される。外部機器３が出力するコンテンツ信号および字幕情報は、接続端子７を介して信号処理部９へ出力される。
【００２６】
記憶部８は、チューナー部６を介して受信したコンテンツ信号に含まれる映像としての番組を記憶する。なお、情報処理装置３０は、記憶部８を備えなくてもよい。
【００２７】
信号処理部９は、チューナー部６、接続端子７及び記憶部８の全てまたは一部からコンテンツ信号を受信する。なお、構成要素としての、チューナー部６、接続端子７及び記憶部８のうち、２つ以上の構成要素からコンテンツ信号を信号処理部９が受信する場合、当該信号処理部９は、切り替え処理を行う。切り替え処理は、信号処理部９が、受信した２つ以上のコンテンツ信号のうちの１つのコンテンツ信号を、信号処理を行う対象の信号に設定する処理である。
【００２８】
信号処理部９は、受信したコンテンツ信号に対し信号処理を行い、当該コンテンツ信号を、テキスト抽出部１０およびコンテンツ処理部１４へ送信する。
【００２９】
また、情報処理装置３０は、録画処理を行う機能を有する。録画処理では、信号処理部９が、チューナー部６から受信するコンテンツ信号に対し信号処理を行い、得られた映像としての番組を記憶部８に記憶させる。すなわち、記憶部８は、信号処理部９が受信したコンテンツ信号に含まれる映像としての番組を記憶する。
【００３０】
テキスト抽出部１０は、音声解析部１０ａと、字幕解析部１０ｂと、映像解析部１０ｃとを含む。音声解析部１０ａ、字幕解析部１０ｂおよび映像解析部１０ｃの各々は、信号処理部９から受信したコンテンツ信号に含まれるデータ（例えば、音声信号）の種類に応じた処理および解析を行い、名詞を抽出する。
【００３１】
音声解析部１０ａは、音声信号に対し、所定の処理および解析を行うことにより言語情報を取得する。そして、音声解析部１０ａは、当該言語情報から名詞を抽出する。
【００３２】
字幕解析部１０ｂは、字幕情報に対し、所定の処理および解析を行うことにより、当該字幕情報から名詞を抽出する。
【００３３】
映像解析部１０ｃは、映像信号に対し、所定の処理および解析を行うことにより言語情報を取得する。そして、映像解析部１０ｃは、当該言語情報から名詞を抽出する。
【００３４】
なお、テキスト抽出部１０が名詞を抽出するか否かの設定は、例えば、操作部５が受信する操作信号により行われてもよい。
【００３５】
テキスト格納部１１は、詳細は後述するが、キーワード一覧２０を作成する。
【００３６】
検索制御部１２は、詳細は後述するが、インターネット４におけるウェブ検索を行うための処理を行う。
【００３７】
通信部１３は、ネットワークを介してインターネット４に接続する機能を有する。検索制御部１２は、通信部１３を介して、任意のＵＲＬ（Ｕｎｉｆｏｒｍ  Ｒｅｓｏｕｒｃｅ  Ｌｏｃａｔｏｒ）へアクセスできる。
【００３８】
次に、本実施の形態の動作について説明する。以下においては、情報処理装置３０が行う処理を、「ウェブ検索関連処理」ともいう。ウェブ検索関連処理の一例を分かりやすくするために、以下の前提Ｐｍ１のもとで行われるウェブ検索関連処理について説明する。
【００３９】
前提Ｐｍ１では、信号処理部９は、コンテンツ信号を受信する。また、前提Ｐｍ１では、信号処理部９が受信するコンテンツ信号は、複数の文字列を示す文字情報と、映像（映像信号）とを含む。
【００４０】
前提Ｐｍ１におけるウェブ検索関連処理では、まず、信号処理部９は、文字情報を含むコンテンツ信号を受信する。信号処理部９は、受信したコンテンツ信号に対し信号処理を行い、当該コンテンツ信号を、テキスト抽出部１０およびコンテンツ処理部１４へ送信する。
【００４１】
次に、名詞抽出処理が行われる。名詞抽出処理では、テキスト抽出部１０が、受信したコンテンツ信号に含まれる文字情報から１以上の名詞を抽出する。具体的には、テキスト抽出部１０は、受信したコンテンツ信号から文字情報（言語情報）を取得し、当該文字情報から複数の名詞を抽出する。テキスト抽出部１０は、抽出した当該複数の名詞を、テキスト格納部１１へ送信する。
【００４２】
次に、キーワード一覧作成処理が行われる。キーワード一覧作成処理では、テキスト格納部１１が、１以上の名詞を示すキーワード一覧２０を作成する。具体的には、テキスト格納部１１が、受信した複数の名詞を格納し、当該複数の名詞をリスト化したキーワード一覧２０を作成する。作成されたキーワード一覧２０は、例えば、図３のキーワード一覧２０である。
【００４３】
図３では、テキスト抽出部１０がテキスト格納部１１へ送信した複数の名詞のうち、最新のｋ個の名詞がキーワード一覧２０に示されている。「ｋ」は、自然数である。また、「ｋ」は予め設定された値である。なお、過去に、テキスト抽出部１０により抽出された名詞は、「その他のキーワード」としてまとめられてもよい。なお、キーワード一覧２０に示される名詞の数は複数に限定されず、１であってもよい。
【００４４】
また、テキスト抽出部１０がテキスト格納部１１へ送信した最新の名詞と同じ名詞が、キーワード一覧２０に示されている場合、当該最新の名詞を、キーワード一覧２０に示さないようにしてもよい。これにより、名詞の重複表示を防止することができる。
【００４５】
検索制御部１２は、キーワード一覧２０を出力部５０に表示させる処理を行う。具体的には、検索制御部１２は、作成されたキーワード一覧２０を、コンテンツ処理部１４を介して、出力部５０の表示部５１に表示させる。より詳細には、検索制御部１２は、キーワード一覧２０を、コンテンツ処理部１４へ送信する。コンテンツ処理部１４は、キーワード一覧２０を、出力部５０の表示部５１に表示させる。
【００４６】
以下においては、ユーザーが、ウェブ検索のキーワードとして利用することを望む名詞を、「名詞Ａ」ともいう。
【００４７】
次に、ユーザーは、選択操作を行う。当該選択操作は、例えば、出力部５０の表示部５１に表示されているキーワード一覧２０が示す複数の名詞から、名詞Ａを選択するための操作である。また、当該選択操作は、テレビジョン受信機１００の本体操作部、または、リモコンに対して行われる操作である。
【００４８】
以下においては、キーワード一覧２０が示す１以上の名詞から選択された名詞を、「選択名詞」ともいう。選択名詞は、例えば、図３において、白で示される名詞（文字列）である。選択操作が行われると、操作部５は、選択名詞を示す操作信号を受信する。操作部５は、当該操作信号を検索制御部１２へ送信する。
【００４９】
ここで、選択名詞が、例えば、図３に示される「その他のキーワード」であると仮定する。この場合、過去において、テキスト抽出部１０がテキスト格納部１１へ送信した複数の名詞が一覧表示されてもよい。
【００５０】
次に、ウェブ検索処理が行われる。ウェブ検索処理では、検索制御部１２が、選択名詞を使用して、インターネット４におけるウェブ検索を行うための処理を行う。すなわち、検索制御部１２は、選択名詞を使用して、インターネット４を介したウェブページの検索を行うための処理を行う。
【００５１】
具体的には、検索制御部１２は、以下の処理を行う。まず、検索制御部１２は、操作部５から受信した操作信号により、選択名詞を特定する。次に、検索制御部１２は、通信部１３を介して、選択名詞のウェブ検索を行う。具体的には、通信部１３が、選択名詞を使用して、インターネット４におけるウェブ検索を行うように、検索制御部１２は、当該通信部１３を制御する。これにより、通信部１３は、ウェブ検索の実行に伴う検索結果を取得し、当該検索結果を、検索制御部１２へ送信する。
【００５２】
以下においては、検索結果を示す画像を、「検索結果画像２１」ともいう。検索結果画像２１は、例えば、図４の検索結果画像２１である。図４の検索結果画像２１は、一例として、検索結果を示すウェブブラウザを示す画像である。
【００５３】
検索制御部１２は、検索結果を受信すると、当該検索結果を示す検索結果画像２１を生成する。
【００５４】
次に、結果出力処理が行われる。結果出力処理では、検索制御部１２は、ウェブ検索により得られた検索結果を、出力部５０に表示させる処理を行う。具体的には、結果出力処理では、検索制御部１２が、コンテンツ処理部１４を介して、出力部５０の表示部５１に検索結果画像２１を表示させる処理を行う。より詳細には、検索制御部１２は、検索結果画像２１をコンテンツ処理部１４に送信する。
【００５５】
なお、コンテンツ処理部１４は、信号処理部９からコンテンツ信号を受信している。そのため、コンテンツ処理部１４は、コンテンツ信号に含まれる映像に、キーワード一覧２０および検索結果画像２１が重畳された当該映像を、表示部５１が表示するように、当該表示部５１を制御する。
【００５６】
具体的には、コンテンツ処理部１４は、表示部５１を制御するための制御信号を、出力部５０へ送信する。当該制御信号は、キーワード一覧２０、ウェブ検索により得られた検索結果（検索結果画像２１）、および、コンテンツ信号に含まれる映像を出力部５０の表示部５１に表示させるための信号である。なお、当該制御信号は、キーワード一覧２０と、検索結果画像２１と、コンテンツ信号に含まれる映像とを含む。また、当該制御信号は、当該コンテンツ信号に含まれる音声をさらに含む。
【００５７】
これにより、図５のように、表示部５１は、当該制御信号に従って、例えば、キーワード一覧２０および検索結果画像２１が重畳された映像Ｇ１を表示する。当該映像Ｇ１は、例えば、放送番組を示す映像である。また、当該映像Ｇ１は、例えば、外部機器３により再生されたコンテンツとしての映像である。
【００５８】
なお、出力部５０の音声出力部５２は、当該制御信号の受信に応じて、制御信号に含まれる音声を出力する。当該音声は、例えば、映像Ｇ１に対応する音声である。
【００５９】
なお、結果出力処理では、表示部５１にキーワード一覧２０が表示されなくてもよい。この場合、上記の制御信号は、検索結果（検索結果画像２１）、および、コンテンツ信号に含まれる映像を出力部５０の表示部５１に表示させるための信号である。
【００６０】
また、表示部５１に表示される検索結果画像２１は、ユーザー操作に応じて操作部５が受信する操作信号により、任意のサイズに変更されてもよい。当該ユーザー操作は、ユーザーが、本体操作部またはリモコンに対して行う操作である。
【００６１】
また、表示部５１に表示される、キーワード一覧２０または検索結果画像２１の表示または非表示の切り替え設定は、ユーザー操作に応じて操作部５が受信する操作信号により、変更されてもよい。
【００６２】
以上説明したように、本実施の形態によれば、テキスト抽出部１０は、コンテンツ信号に含まれる文字情報から１以上の名詞を抽出する。テキスト格納部１１は、当該１以上の名詞を示すキーワード一覧２０を作成する。検索制御部１２は、キーワード一覧２０が示す１以上の名詞から選択された名詞である選択名詞を使用して、インターネットにおけるウェブ検索を行うための処理を行う。
【００６３】
これにより、情報処理装置３０がウェブ検索を行う状況においてコンテンツ信号に含まれる文字情報を有効に活用することができる。
【００６４】
また、本実施の形態によれば、テキスト抽出部１０は、コンテンツ信号から文字情報（言語情報）を取得し、当該文字情報から複数の名詞を抽出する。そして、複数の名詞をリスト化したキーワード一覧２０が自動的に作成される。なお、コンテンツ信号に含まれる映像は、表示部５１に表示される。すなわち、表示部５１に表示される映像であって、かつ、ユーザーが視聴している映像に関連性の高い対象に関するキーワード一覧２０が自動的に作成される。当該対象は、例えば、物、人、場所等である。また、表示部５１に表示される映像は、放送番組、再生されたコンテンツ等である。
【００６５】
そして、キーワード一覧２０が示す複数の名詞から、ユーザーが選択した名詞を使用して、ウェブ検索が行われる。そのため、ユーザーが能動的に、音声入力動作、文字入力動作を行わなくても、ウェブ検索を行うことができる。当該音声入力動作は、ユーザーが音声を発することにより、音声入力を行う動作である。当該文字入力動作は、パーソナルコンピュータ、携帯端末等を利用して文字入力を行う動作である。
【００６６】
したがって、ユーザーが能動的に、音声入力動作等を行なわなくても、自動的に作成されたキーワード一覧から名詞を選択するだけで、ウェブ検索を行うことができる。これにより、ユーザーの利便性を向上させることができる。
【００６７】
また、本実施の形態によれば、情報処理装置３０は、記憶部８を備える。ここで、仮に、テキスト抽出部１０が大量のキーワードを抽出し、ユーザーがウェブ検索を行いたいキーワードを見失ってしまったと仮定する。この場合においても、記憶部８が記憶している番組（録画番組）を確認することにより、容易に所望のキーワードを探すことができる。
【００６８】
なお、関連構成Ａで認識された音声の認識結果を使用して、ウェブ検索を行う場合、ユーザーが能動的にＡＶ機器に対し音声を発する必要がある。そのため、ＡＶ機器に対して話しかける行動に抵抗があるユーザーは、当該ＡＶ機器を利用しづらいという問題点がある。
【００６９】
そこで、本実施の形態の情報処理装置３０は、上記の効果を奏するための構成を有する。そのため、本実施の形態の情報処理装置３０により、上記の問題点を解決することができる。
【００７０】
（機能ブロック図）
図６は、情報処理装置ＢＬ１０の特徴的な機能構成を示すブロック図である。情報処理装置ＢＬ１０は、情報処理装置３０に相当する。つまり、図６は、情報処理装置ＢＬ１０の有する機能のうち、本技術に関わる主要な機能を示すブロック図である。
【００７１】
情報処理装置ＢＬ１０は、機能的には、信号処理部ＢＬ１と、テキスト抽出部ＢＬ２と、テキスト格納部ＢＬ３と、検索制御部ＢＬ４とを備える。
【００７２】
信号処理部ＢＬ１は、１以上の文字列を示す文字情報を含むコンテンツ信号を受信する。信号処理部ＢＬ１は、信号処理部９に相当する。テキスト抽出部ＢＬ２は、前記コンテンツ信号に含まれる前記文字情報から１以上の名詞を抽出する。テキスト抽出部ＢＬ２は、テキスト抽出部１０に相当する。テキスト格納部ＢＬ３は、前記１以上の名詞を示すキーワード一覧を作成する。テキスト格納部ＢＬ３は、テキスト格納部１１に相当する。
【００７３】
検索制御部ＢＬ４は、前記キーワード一覧が示す前記１以上の名詞から選択された名詞である選択名詞を使用して、インターネットにおけるウェブ検索を行うための処理を行う。検索制御部ＢＬ４は、検索制御部１２に相当する。
【００７４】
（その他の変形例）
以上、本発明に係る情報処理装置について、実施の形態に基づいて説明したが、本発明は、当該実施の形態に限定されるものではない。本発明の主旨を逸脱しない範囲内で、当業者が思いつく変形を実施の形態に施したものも、本発明に含まれる。つまり、本発明は、その発明の範囲内において、実施の形態を適宜、変形、省略することが可能である。
【００７５】
また、情報処理装置３０は、図で示される全ての構成要素を含まなくてもよい。すなわち、情報処理装置３０は、本技術の効果を実現できる最小限の構成要素のみを含めばよい。
【００７６】
また、情報処理装置３０に含まれる、信号処理部９、テキスト抽出部１０、テキスト格納部１１および検索制御部１２の各々の機能は、処理回路により実現されてもよい。
【００７７】
当該処理回路は、１以上の文字列を示す文字情報を含むコンテンツ信号を受信するための回路である。
【００７８】
また、当該処理回路は、前記コンテンツ信号に含まれる前記文字情報から１以上の名詞を抽出するための回路でもある。
【００７９】
また、当該処理回路は、前記１以上の名詞を示すキーワード一覧を作成するための回路でもある。
【００８０】
また、当該処理回路は、前記キーワード一覧が示す前記１以上の名詞から選択された名詞である選択名詞を使用して、インターネットにおけるウェブ検索を行うための処理を行うための回路でもある。
【００８１】
処理回路は、専用のハードウエアであってよい。また、処理回路は、メモリに格納されるプログラムを実行するプロセッサであってもよい。当該プロセッサは、例えば、ＣＰＵ（Central Processing Unit）、中央処理装置、演算装置、マイクロプロセッサ、マイクロコンピュータ、ＤＳＰ（Digital Signal Processor）等である。
【００８２】
以下においては、処理回路が専用のハードウエアである構成を、「構成Ｃｓ１」ともいう。また、以下においては、処理回路が、プロセッサである構成を、「構成Ｃｓ２」ともいう。また、以下においては、信号処理部９、テキスト抽出部１０、テキスト格納部１１および検索制御部１２の各々の機能を、ハードウエアとソフトウエアとの組み合わせにより実現する構成を、「構成Ｃｓ３」ともいう。
【００８３】
構成Ｃｓ１では、処理回路は、例えば、単一回路、複合回路、プログラム化されたプロセッサ、並列プログラム化されたプロセッサ、ＡＳＩＣ（Application Specific Integrated Circuit）、ＦＰＧＡ（Field Programmable Gate Array）、またはこれらを組み合わせたものが該当する。信号処理部９、テキスト抽出部１０、テキスト格納部１１および検索制御部１２の機能は、それぞれ、４つの処理回路で実現されてもよい。また、信号処理部９、テキスト抽出部１０、テキスト格納部１１および検索制御部１２の全ての機能が、１つの処理回路で実現されてもよい。
【００８４】
なお、情報処理装置３０に含まれる各構成要素の全てまたは一部を、ハードウエアで示した構成は、例えば、以下のようになる。以下においては、情報処理装置３０に含まれる各構成要素の全てまたは一部を、ハードウエアで示した情報処理装置を、「情報処理装置ｈｄ１０」ともいう。
【００８５】
図７は、情報処理装置ｈｄ１０のハードウエア構成図である。図７を参照して、情報処理装置ｈｄ１０は、プロセッサｈｄ１と、メモリｈｄ２とを備える。メモリｈｄ２は、例えば、ＲＡＭ（Random Access Memory）、ＲＯＭ（Read Only Memory）、フラッシュメモリ、ＥＰＲＯＭ、ＥＥＰＲＯＭ等の、不揮発性または揮発性の半導体メモリである。また、メモリｈｄ２は、例えば、磁気ディスク、フレキシブルディスク、光ディスク、コンパクトディスク、ミニディスク、ＤＶＤ等である。また、メモリｈｄ２は、今後使用されるあらゆる記憶媒体であってもよい。
【００８６】
構成Ｃｓ２では、処理回路は、プロセッサｈｄ１である。構成Ｃｓ２では、信号処理部９、テキスト抽出部１０、テキスト格納部１１および検索制御部１２の各々の機能は、ソフトウエア、ファームウエア、またはソフトウエアとファームウエアとの組み合わせにより実現される。ソフトウエアまたはファームウエアは、プログラムとして記述され、メモリｈｄ２に格納される。
【００８７】
また、構成Ｃｓ２では、処理回路（プロセッサｈｄ１）が、メモリｈｄ２に記憶されたプログラムを読み出して、当該プログラムを実行することにより、信号処理部９、テキスト抽出部１０、テキスト格納部１１および検索制御部１２の各々の機能は実現される。すなわち、メモリｈｄ２は、以下のプログラムを格納する。
【００８８】
当該プログラムは、１以上の文字列を示す文字情報を含むコンテンツ信号を受信するステップを、処理回路（プロセッサｈｄ１）に実行させるためのプログラムである。
【００８９】
また、当該プログラムは、前記コンテンツ信号に含まれる前記文字情報から１以上の名詞を抽出するステップを、処理回路（プロセッサｈｄ１）に実行させるためのプログラムでもある。
【００９０】
また、当該プログラムは、前記１以上の名詞を示すキーワード一覧を作成するステップを、処理回路（プロセッサｈｄ１）に実行させるためのプログラムでもある。
【００９１】
また、当該プログラムは、前記キーワード一覧が示す前記１以上の名詞から選択された名詞である選択名詞を使用して、インターネットにおけるウェブ検索を行うための処理を行うステップを、処理回路（プロセッサｈｄ１）に実行させるためのプログラムでもある。
【００９２】
また、当該プログラムは、信号処理部９、テキスト抽出部１０、テキスト格納部１１および検索制御部１２の各々が行う処理の手順、当該処理を実行する方法等をコンピュータに実行させるものでもある。
【００９３】
構成Ｃｓ３では、信号処理部９、テキスト抽出部１０、テキスト格納部１１および検索制御部１２の一部の機能は、専用のハードウエアで実現される。また、構成Ｃｓ３では、信号処理部９、テキスト抽出部１０、テキスト格納部１１および検索制御部１２の別の一部の機能は、ソフトウエアまたはファームウエアで実現される。
【００９４】
例えば、信号処理部９およびテキスト抽出部１０の機能は、処理回路がメモリに格納されたプログラムを読み出して実行することによって実現される。また、例えば、テキスト格納部１１および検索制御部１２の機能は、専用のハードウエアとしての処理回路で実現される。
【００９５】
以上の構成Ｃｓ１、構成Ｃｓ２および構成Ｃｓ３のように、処理回路は、ハードウエア、ソフトウエア、ファームウエア、またはこれらの組み合わせによって、上述の各機能を実現することができる。
【００９６】
また、本技術は、情報処理装置３０が備える特徴的な構成部の動作をステップとする検索方法として実現してもよい。また、本技術は、そのような検索方法に含まれる各ステップをコンピュータに実行させるプログラムとして実現してもよい。また、本技術は、そのようなプログラムを格納するコンピュータ読み取り可能な記録媒体として実現されてもよい。また、当該プログラムは、インターネット等の伝送媒体を介して配信されてもよい。
【００９７】
上記実施の形態で用いた全ての数値は、本技術を具体的に説明するための一例の数値である。すなわち、本技術は、上記実施の形態で用いた各数値に制限されない。
【００９８】
なお、本発明は、その発明の範囲内において、実施の形態を適宜、変形、省略することが可能である。
【符号の説明】
【００９９】
８  記憶部、９，ＢＬ１  信号処理部、１０，ＢＬ２  テキスト抽出部、１１，ＢＬ３  テキスト格納部、１２，ＢＬ４  検索制御部、３０，ＢＬ１０，ｈｄ１０  情報処理装置、５０  出力部、１００  テレビジョン受信機。
【図１】
2020150290.tif 000003
【図２】
2020150290.tif 000004
【図３】
2020150290.tif 000005
【図４】
2020150290.tif 000006
【図５】
2020150290.tif 000007
【図６】
2020150290.tif 000008
【図７】
2020150290.tif 000009